(57)【特許請求の範囲】
【請求項１】
警備装置と、前記警備装置から信号を受信する遠隔装置と、前記遠隔装置と通信する携帯端末装置とを備える警備業務支援システムであって、
前記警備装置は、
監視対象領域の第１範囲に設置されて異常を検知する検知器から出力される検知信号を受信する受信部と、
異常を検知した前記検知器の識別情報を含む異常信号を前記遠隔装置に送信する送信部と、を備え、
前記携帯端末装置は、
前記第１範囲と異なる前記監視対象領域の第２範囲における点検情報の入力を受け付ける入力受付部と、
前記点検情報の入力に応じて前記第２範囲における点検完了を前記遠隔装置へ通知する通信部と、を備え、
前記遠隔装置は、
前記検知器の識別情報及び設置位置を関連付けて記憶する記憶部と、
前記異常信号及び前記記憶部に記憶された前記設置位置に基づいて、異常を検知した前記検知器の設置位置を特定する位置特定部と、
前記第２範囲における点検が完了するまで、異常を検知した前記検知器の設置位置を前記携帯端末装置へ送信することを禁止する送信制御部と、
を備えることを特徴とする警備業務支援システム。
【請求項２】
前記点検情報は、前記第２範囲の点検結果であり、
前記通信部は、前記入力受付部での前記点検結果の入力完了を通知することによって、前記第２範囲における点検完了を前記遠隔装置へ通知し、
前記送信制御部は、前記入力受付部での前記点検結果の入力が完了するまで、異常を検知した前記検知器の設置位置を前記携帯端末装置へ送信することを禁止する請求項１に記載の警備業務支援システム。
【請求項３】
前記携帯端末装置は表示部を備え、
前記通信部は、異常を検知した前記検知器の設置位置を前記遠隔装置から受信し、
前記表示部は、前記第１範囲を示す図面上に異常を検知した前記検知器の設置位置の座標を識別可能に表示することを特徴とする請求項１に記載の警備業務支援システム。
【請求項４】
前記第２範囲は、前記第１範囲の外周であることを特徴とする請求項１〜３のいずれか一項に記載の警備業務支援システム。
【請求項５】
前記遠隔装置は、異常を検知した前記検知器の識別情報を受信すると、前記第２範囲における点検が完了したか否かに関わらず、異常を検知した前記検知器の設置位置を表示する第２の表示部を備えることを特徴とする請求項１〜４のいずれか一項に記載の警備業務支援システム。
【請求項６】
表示部と、
監視対象領域の第１範囲における異常を検知した検知器の前記第１範囲での設置位置を受信する通信部と、
前記第１範囲と異なる前記監視対象領域の第２範囲の点検情報の入力を受け付ける入力受付部と、
前記第２範囲における点検が完了するまで、前記表示部における前記検知器の前記設置位置の表示を禁止する表示制御部と、
を備えることを特徴とする携帯端末装置。
【請求項７】
監視対象領域の第１範囲に設置された検知器の設置位置を携帯端末装置の表示部に表示させるプログラムであって、
前記携帯端末装置に、
前記第１範囲における異常を検知した検知器の前記第１範囲での設置位置を受信する処理と、
前記第１範囲と異なる第２範囲の点検情報の入力を受け付ける処理と、
前記第２範囲における点検が完了するまで、前記表示部における前記検知器の前記設置位置の表示を禁止する処理と、
を実行させる命令を含むことを特徴とするプログラム。
【発明の詳細な説明】
【技術分野】
【０００１】
本発明は、警備業務支援システム、携帯端末装置、及びプログラムに関する。
【背景技術】
【０００２】
監視場所の異常を検出するシステムとして、特許文献１に記載の警備システムが知られている。この警備システムは、警備員に所持される携帯端末を含み、異常を検知したセンサの情報を携帯端末に表示する。これにより、異常が検出された監視場所に向かっている警備員が、監視場所の状況をある程度確認できるようになる。
【先行技術文献】
【特許文献】
【０００３】
【特許文献１】特開２００５−２８４８６１号公報
【発明の概要】
【発明が解決しようとする課題】
【０００４】
しかしながら、実際の警備業務においては、異常検知に対処する対処員に対して異常検知に関する情報を早い段階から詳細に開示することが好ましくないことがある。例えば、異常検知情報を得ることにより異常の場所、程度又は確度について対処員が思い込みを抱くと、侵入者などの脅威があり得る状況で油断や緊張感の低下を招くおそれがある。
本発明は、監視対象の領域において検知された異常に対処する対処員に異常検知に関する情報を開示するタイミングを改善することを目的とする。
【課題を解決するための手段】
【０００５】
本発明の一形態によれば、警備装置と、警備装置から信号を受信する遠隔装置と、遠隔装置と通信する携帯端末装置とを備える警備業務支援システムが与えられる。警備装置は、監視対象領域の第１範囲に設置されて異常を検知する検知器から出力される検知信号を受信する受信部と、異常を検知した検知器の識別情報を含む異常信号を遠隔装置に送信する送信部を備える。携帯端末装置は、第１範囲と異なる監視対象領域の第２範囲における点検情報の入力を受け付ける入力受付部と、点検情報の入力に応じて第２範囲における点検完了を遠隔装置へ通知する通信部を備える。遠隔装置は、検知器の識別情報及び設置位置を関連付けて記憶する記憶部と、異常信号及び記憶部に記憶された設置位置に基づいて、異常を検知した検知器の設置位置を特定する位置特定部と、第２範囲における点検が完了するまで、異常を検知した検知器の設置位置を携帯端末装置へ送信することを禁止する送信制御部を備える。
【０００６】
点検情報は、第２範囲の点検結果であってもよい。通信部は、入力受付部での点検結果の入力完了を通知することによって、第２範囲における点検完了を遠隔装置へ通知してもよい。送信制御部は、入力受付部での点検結果の入力が完了するまで、異常を検知した検知器の設置位置を携帯端末装置へ送信することを禁止してもよい。
携帯端末装置は表示部を備えてもよい。通信部は、異常を検知した前記検知器の設置位置を前記遠隔装置から受信し、表示部は、第１範囲を示す図面上に異常を検知した検知器の設置位置の座標を識別可能に表示してもよい。
第２範囲は、第１範囲の外周であってもよい。
遠隔装置は、異常を検知した検知器の識別情報を受信すると、第２範囲における点検が完了したか否かに関わらず、異常を検知した検知器の設置位置を表示する第２の表示部を備えてもよい。
【０００７】
本発明の他の形態によれば、携帯端末装置が与えられる。携帯端末装置は、表示部と、監視対象領域の第１範囲における異常を検知した検知器の第１範囲での設置位置を受信する通信部と、第１範囲と異なる監視対象領域の第２範囲の点検情報の入力を受け付ける入力受付部と、第２範囲における点検が完了するまで、表示部における検知器の設置位置の表示を禁止する表示制御部を備える。
【０００８】
本発明の他の形態によれば、監視対象領域の第１範囲に設置された検知器の設置位置を携帯端末装置の表示部に表示させるプログラムが与えられる。プログラムは、第１範囲における異常を検知した検知器の第１範囲での設置位置を受信する処理と、第１範囲と異なる第２範囲の点検情報の入力を受け付ける処理と、第２範囲における点検が完了するまで、表示部における検知器の設置位置の表示を禁止する処理を、携帯端末装置に実行させる命令を含む。
【発明の効果】
【０００９】
本発明の実施形態によれば、監視対象の領域において検知された異常に対処する対処員に異常検知に関する情報を開示するタイミングが改善される。
【図面の簡単な説明】
【００１０】
【図１】実施形態の警備業務支援システムの全体を示す概略構成図である。
【図２】監視施設表示画面の一例を示す図である。
【図３】点検結果入力画面の一例を示す図である。
【図４】実施形態の警備装置の構成例を示す図である。
【図５】実施形態の携帯端末装置の構成例を示す図である。
【図６】実施形態のセンタ装置の構成例を示す図である。
【図７】第１実施形態の警備業務支援システムの動作の全体の説明図である。
【図８】第１実施形態のセンタ装置による処理のフローチャートである。
【図９】第１実施形態の携帯端末装置による処理のフローチャートである。
【図１０】第２実施形態の警備業務支援システムの動作の全体の説明図である。
【図１１】第２実施形態のセンタ装置による処理のフローチャートである。
【図１２】第２実施形態の携帯端末装置による処理のフローチャートである。
【発明を実施するための形態】
【００１１】
以下、本発明の実施形態を図面に基づいて説明する。
（第１実施形態）
（警備業務支援システムの全体構成）
図１を参照する。警備業務支援システム１は、監視対象である監視区域２内の監視対象施設３の内部に設置され異常を検知するセンサ４と、監視対象施設３の外側の外側領域５に設置され異常を検知するセンサ６を備える。警備業務支援システム１は、センサ４及び６に接続される警備装置７と、監視センタ９に設置され通信回線８を通じて警備装置７に接続されるセンタ装置１０を備える。警備業務支援システム１は、センタ装置１０を監視する監視員１１からの対処要請により、監視区域２へ向かう対処員１２によって所持される携帯端末装置１３を備える。
【００１２】
センサ４は、例えば監視対象施設３の内部、又は窓もしくはドア等の開閉部に設置され、監視対象施設３内への侵入者又は侵入物（以下、「侵入者等」と表記する）を検知する。センサ６は、監視対象施設３の外壁、外側領域５内、監視区域２の入口の開閉部に設置され監視区域２内への侵入者等を検知する。以下、センサ４及び６を総称して「センサ４等」と表記することがある。センサ４及び６のうちセンサ４のみ示す場合には「センサ４」と表記する。センサ４等は、例えば開閉部の開閉を検知するマグネットセンサ、受光した赤外線の光量変化に基づいて探知範囲の侵入者等の有無を検知する赤外線センサであってよい。
【００１３】
また、センサ４等は、例えば撮像画像と予め記憶された正常時の画像との差分に基づいて撮像範囲の侵入者等の有無を検知する画像センサであってもよい。センサ４等は、侵入者等の検知に相当する異常を検知すると「検知信号」を警備装置７へ送信する。
警備装置７は、センサ４等からの検知信号により、監視区域２における異常の発生を監視する。警備装置７の動作モードには、警備セットモード及び警備解除モードがある。警備セットモードにて検知信号を受信した場合、警備装置７はセンタ装置１０へ「異常信号」を送信する。以下、監視対象施設３内に設置されたセンサ４が侵入者等を検知した場合を説明する。
【００１４】
異常信号を受信したセンタ装置１０は、例えば表示部に異常発生を表示することにより、監視員１１に異常発生を通知する。異常発生を確認した監視員１１は、監視対象施設３の警備を担当する対処員１２に対して対処を要請する。対処の要請を受けた対処員１２は、異常が発生した監視対象施設３に向かい異常事態の確認、復旧などの対処業務を開始する。
ここで、対処員１２が所持する携帯端末装置１３には、異常を検知したセンサ４の設置位置を示す「検知位置信号」をセンタ装置１０から受信し、異常を検知したセンサ４の設置位置を表示する機能が備わっている。
【００１５】
図２を参照する。携帯端末装置１３は、例えば、監視対象施設３内の配置を示す見取図となる平面図面（以下、「監視対象施設３を示す図面」と表記することがある）上に異常を検知したセンサ４の設置位置を識別可能に表示してよい。携帯端末装置１３の表示部に表される監視施設表示画面２０は、監視対象施設３を示す図面２１と、監視対象施設３に設置されたセンサ４のうち異常を検知したセンサ４ａの位置を示すマークと、異常を検知していないセンサ４ｂの位置を示すマークを含む。センサ４ａの位置を示すマークをセンサ４ｂの位置を示すマークと異ならせることにより、異常を検知したセンサ４ａの設置位置が監視施設表示画面２０において識別可能に表示される。また、センサ４ａの位置を示すマークのみを監視施設表示画面２０において識別可能に表示してもよい。
なお、監視施設表示画面２０は、図２に示す例に限定されない。例えば、監視施設表示画面２０は、監視対象施設３だけでなく監視区域２の全体を示す画面及びセンサ６の位置の表示を含んでもよい。また、監視施設表示画面２０は、異常を検知したセンサ４の設置位置を「第１倉庫」などといった文字情報により示してもよい。
なお、以下の説明において異常を検知したセンサ４ａを単に「センサ４ａ」と表記することがある。また異常を検知したセンサ４ａの設置位置を「異常検知位置」と表記することがある。
【００１６】
対処員１２は、監視区域２に到着すると、監視対象施設３の内部に入る前に、監視対象施設３の外周の点検を開始する。監視対象施設３の外周は、監視対象施設３に連絡して当該監視対象施設３への侵入経路となりうる範囲であって、例えば、監視対象施設３の出入口、窓及び外壁、並びに外側領域５が含まれる。以下、監視対象施設３の外周の点検を「外部点検」と表記する。また、監視対象施設３の内部の点検を「内部点検」と表記する。
対処員１２は、外部点検によって監視対象施設３の内部に侵入者等が侵入した形跡があるか否かを確認する。これにより監視対象施設３の内部を点検する前に、対処員１２が侵入者等の存在を察知することができ、警察機関への通報や他の要員の応援を監視員１１に要請することができる。
【００１７】
外部点検の完了前に、異常検知位置を対処員１２に開示すると、対処員１２の油断や緊張感の低下を招くおそれがある。例えば、異常検知位置付近を重点的に点検する一方で、異常検知位置から離れた外周部分は点検が薄くなるなど、外部点検にムラが生じるおそれがある。また、センサ４の設置位置や種類によっては、対処員１２が異常の誤検出だと思い込むおそれがある。例えば、センサ４が動植物の近くに設置されている場合に、センサ４が動植物の動きを誤検出したかもしれないとの予断を対処員１２が抱くおそれがある。この結果、例えば、監視対象施設３内の侵入者等の脅威のおそれがあるにも関わらず、対処員１２が緊張感の低下した状態で外部点検を行い、侵入者等の形跡を見過ごすおそれがある。
そこで、第１実施形態の警備業務支援システム１は、外部点検が完了するまで、検知位置信号を携帯端末装置１３へ送信することを禁止する。これによって、対処員１２に対する異常検知位置の開示を外部点検が完了するまで禁止する。
【００１８】
外部点検の完了は、例えば、対処員１２による携帯端末装置１３の操作に基づいて判断してよい。図３を参照する。携帯端末装置１３は、対処員１２が点検結果を入力するため点検結果入力画面３０を表示してよい。点検結果入力画面３０は、例えば、外部点検結果入力欄３１と、図面参照ボタン３２の表示と、内部点検結果入力欄３３と、点検終了ボタン３４の表示を含んでよい。
外部点検結果入力欄３１には、例えば初期状態として「未点検」が表示されており、操作によって「異常あり」又は「異常なし」などの点検結果が入力される。内部点検結果入力欄３３は、例えば、「点検ポイント」欄の各点検ポイントが「点検項目」欄が示す状態であると確認したことを入力するチェックボックスを含む。
【００１９】
外部点検結果入力欄３１に点検結果が入力されると、携帯端末装置１３は、外部点検の点検結果の入力が完了したことを示す「外部点検完了信号」をセンタ装置１０へ送信する。すなわち、外部点検完了信号は外部点検の完了を示す。携帯端末装置１３は、外部点検の結果自身を外部点検完了信号として送信してもよい。
また、図面参照ボタン３２が押下されると、携帯端末装置１３は、検知位置信号の送信を要求する「要求信号」をセンタ装置１０へ送信する。
センタ装置１０は、外部点検完了信号を既に受信していれば、要求信号に応答して検知位置信号を送信する。これにより、携帯端末装置１３は、外部点検完了後に監視施設表示画面２０を表示することができる。一方、外部点検完了信号がまだ受信されていなければ、要求信号を受信しても検知位置信号を送信しない。これによって、外部点検が完了するまで、対処員１２に対する異常検知位置の開示が禁止される。
【００２０】
続いて、警備業務支援システム１の各部の構成について説明する。
（警備装置７の構成）
図４を参照して警備装置７の構成を説明する。警備装置７は、入出力インタフェース４０と、制御部４１と、記憶部４２と、通信回路４３を備える。入出力インタフェース４０は、センサ４等に接続され、異常を検知したセンサ４ａからの検知信号を受信する。
制御部４１は、プロセッサ、及びその周辺回路を備える。警備装置７の動作モードが警備セットモードである間に、入出力インタフェース４０を介して検知信号を受信すると、制御部４１は、センサ４ａの識別情報を記憶部４２から読み込む。記憶部４２は、例えば、ＲＯＭ（Read Only Memory）及びＲＡＭ（Random Access Memory）を備える。記憶部４２は、不揮発性メモリ又はハードディスクドライブ装置を備えてもよい。記憶部４２には、制御部４１により実行されるプログラム、プログラムの実行に必要なデータ、及び各センサ４及び６の識別情報が記憶される。
【００２１】
制御部４１は、センサ４ａの識別情報を記憶部４２から読み込むと、異常の検知を知らせる異常信号を通信回路４３を介してセンタ装置１０へ送信する。異常信号には、記憶部４２から読み込んだセンサ４ａの識別情報が含まれている。通信回路４３は、通信回線８を経由してセンタ装置１０との有線通信又は無線通信を行うための回路である。
【００２２】
（携帯端末装置１３の構成）
次に、図５を参照して携帯端末装置１３の構成を説明する。携帯端末装置１３として、スマートフォンや携帯電話を採用可能である。ただし携帯端末装置１３はこれらに限定されるものではない。携帯端末装置１３は、携帯可能であり、センタ装置１０との通信機能、及び情報処理機能を有し、アプリケーションプログラムを記憶してこれらの機能を実現することができる他の装置でもよい。
携帯端末装置１３は、操作部５０と、表示部５１と、記憶部５２と、通信回路５３と、制御部５４を備える。
【００２３】
操作部５０は、情報入力手段として機能し、入力ボタンや表示部５１の表示画面に設けられたタッチパネルなどを備えていてよい。操作部５０は、携帯端末装置１３への情報入力及び操作入力を受け付けるために使用される。例えば、操作部５０は、対処員１２による外部点検及び内部点検の点検結果の入力を受け付ける。
表示部５１は、表示手段として機能し、制御部５４の制御によって各種の情報の表示を行う。表示部５１には、例えば図２に示す監視施設表示画面２０及び図３に示す点検結果入力画面３０が表示されてよい。
【００２４】
記憶部５２は、例えば、ＲＯＭ（Read Only Memory）及びＲＡＭ（Random Access Memory）を備える。記憶部５２は、不揮発性メモリ又はハードディスクドライブ装置を備えてもよい。記憶部５２には、制御部５４により実行されるコンピュータプログラム、及びコンピュータプログラムの実行に必要なデータが記憶される。
制御部５４により実行されるコンピュータプログラムは、機械可読記録媒体に記録されて、図示しない媒体読取装置により読み取られて記憶部５２にインストールされてもよい。また、このコンピュータプログラムは、通信回路５３を介して通信回線８からダウンロードされ、記憶部５２にインストールされてもよい。
通信回路５３は、有線又は無線の通信インタフェースを備え、コネクタ又はアンテナを介して通信回線８に接続される。
【００２５】
制御部５４は、処理実行部５５、通信処理部５６及び表示制御部５７を備える。制御部５４は、プロセッサ及びその周辺回路を備えており、記憶部５２に記憶されたコンピュータプログラムを実行することにより、以下に説明する処理実行部５５、通信処理部５６及び表示制御部５７の処理を実施する。すなわち、コンピュータプログラムは、処理実行部５５、通信処理部５６及び表示制御部５７の処理を制御部５４に実行させる命令を含む。
【００２６】
処理実行部５５は、監視区域２にて発生した異常に対処する対処員１２の業務を管理する所定の処理を実行する。例えば、異常が発生した際に、対処員１２による対処を要請するための「対処要請信号」がセンタ装置１０から携帯端末装置１３へ送信される場合には、処理実行部５５は、対処要請信号を受信したことを表示部５１に表示してもよい。例えば、対処員１２が外部点検の点検結果又は内部点検の点検結果の入力操作を行うと、点検結果の入力を受け付けて、入力された点検結果をセンタ装置１０へ送信してもよい。例えば、内部点検の完了の入力操作を操作部５０が受け付けると、処理実行部５５は、内部点検が完了したことを示す「内部点検完了信号」を送信する処理を実行してもよい。内部点検の完了の入力操作は、例えば図３に示す点検終了ボタン３４の押下であってよい。
【００２７】
通信処理部５６は、通信回路５３を介して、異常を検知したセンサ４ａの設置位置を示す検知位置信号をセンタ装置１０から取得するための処理を行う。例えば、処理実行部５５が外部点検の点検結果の入力を受け付けると、通信処理部５６は、点検結果の入力に応えて外部点検完了信号を送信する。
また通信処理部５６は、異常検知位置を表示部５１に表示することを要求する「位置要求操作」が対処員１２によって行われると、位置要求操作に応答して、検知位置信号の送信を要求する要求信号をセンタ装置１０へ送信する。位置要求操作は、例えば、図３に示す図面参照ボタン３２の押下であってよい。
【００２８】
通信処理部５６は、検知位置信号をセンタ装置１０から受信する。検知位置信号は、例えば図３に示す監視対象施設３の図面２１の画像データと、センサ４ａの設置位置に対応する図面２１上の座標情報を含んでよい。
表示制御部５７は、表示部５１に各種画面を表示する処理を行う。例えば表示制御部５７は、所定のメニュー画面を表示部５１に表示し、このメニュー画面で対処員１２が所定の操作を行うと、図３に示す点検結果入力画面３０を表示部５１に表示してもよい。
表示制御部５７は、検知位置信号をセンタ装置１０から受信すると、検知位置信号に基づいて図２に示す監視施設表示画面２０を表示してもよい。
【００２９】
（センタ装置１０の構成）
次に、図６を参照してセンタ装置１０の構成を説明する。センタ装置１０は、例えば監視センタ９に設置された１又は複数のコンピュータで構成されている。センタ装置１０は、操作部６０と、表示部６１と、記憶部６２と、通信回路６３と、制御部６４を備える。
操作部６０は、情報入力手段として機能し、センタ装置１０を構成するコンピュータに含まれるキーボード、マウス、タッチペン、タッチパッド又はトラックボールや、表示部６１の表示画面に設けられたタッチパネルなどを備えていてよい。
操作部６０は、監視員１１によるセンタ装置１０への操作入力を受け付けるために使用される。例えば、操作部６０は、異常発生時に対処員１２による対処を要請する「対処要請操作」を受け付ける。
【００３０】
表示部６１は、表示手段として機能し、制御部６４の制御によって各種の情報の表示を行う。表示部６１には、例えば、異常発生を知らせる文字又は図形等の視覚情報や、異常検知位置を図面上に示す画面が表示されてよい。この図面は、例えば図２に示す監視施設表示画面２０と同様であってよい。また、表示部６１には、監視員１１が対処を要請する対処員１２の候補の氏名及び状態や、対処員１２の候補の現在位置を表す地図を表示してもよい。
記憶部６２は、例えば、ＲＯＭ（Read Only Memory）及びＲＡＭ（Random Access Memory）を備える。記憶部６２は、不揮発性メモリ又はハードディスクドライブ装置を備えてもよい。記憶部６２には、制御部６４により実行されるコンピュータプログラム、及びコンピュータプログラムの実行に必要なデータが記憶される。
【００３１】
また、記憶部６２には、監視区域２に設けられたセンサ４等のそれぞれの識別情報とセンサ４等がそれぞれ設置された監視区域２の識別情報とが「センサ登録情報」として記憶され、センサ４等の識別情報と監視区域２の識別情報とが関連付けられている。また、記憶部６２には、監視区域２のそれぞれの識別情報と、それぞれの監視区域２における監視対象施設３の図面の画像データとが「図面画像情報」として記憶され、監視区域２の識別情報と画像データとが関連付けられている。さらに、記憶部６２には、センサ４等のそれぞれの識別情報と設置位置とが「設置位置情報」として記憶され、センサ４等の識別情報と設置位置とが関連付けられている。設置位置は、例えば、センサ４等の設置位置にそれぞれ対応する図面上の座標情報であってよい。
通信回路６３は、有線又は無線の通信インタフェースを備え、コネクタ又はアンテナを介して通信回線８に接続される。
【００３２】
制御部６４は、通信処理部６５と、位置特定部６６と、送信制御部６７と、表示制御部６８を備える。制御部６４は、プロセッサ及びその周辺回路を備えており、記憶部６２に記憶されたコンピュータプログラムを実行することにより、以下に説明する通信処理部６５と、位置特定部６６と、送信制御部６７と、表示制御部６８の処理を実施する。
通信処理部６５は、通信回路６３を介して、警備装置７との通信処理と携帯端末装置１３との通信処理を行う。例えば通信処理部６５は、警備装置７から送信される異常信号を受信してよい。通信処理部６５は、監視員１１による対処要請操作を操作部６０が受け付けた場合に、対応する対処員１２の携帯端末装置１３に対処要請信号を送信してよい。通信処理部６５は、携帯端末装置１３から送信される外部点検完了信号、要求信号及び内部点検完了信号を受信してよい。
【００３３】
位置特定部６６は、警備装置７から受信した異常信号に含まれているセンサ４ａの識別情報と記憶部６２に記憶されたセンサ登録情報に基づいて、センサ４ａを特定するとともに、センサ４ａが設置された監視区域２の識別情報を特定する。
位置特定部６６は、特定した監視区域２の識別情報に基づいて、監視区域２における監視対象施設３の図面の画像データを記憶部６２から読み出す。位置特定部６６は、センサ４ａの識別情報と記憶部６２に記憶された設置位置情報に基づいてセンサ４ａの設置位置を特定する。
【００３４】
通信処理部６５は、監視対象施設３の図面の画像データと位置特定部６６により特定されたセンサ４ａの設置位置とを含む検知位置信号を携帯端末装置１３に送信する。通信処理部６５は、携帯端末装置１３から送信される要求信号に応答して検知位置信号を送信してよい。
送信制御部６７は、外部点検完了信号が受信されるまで通信処理部６５による検知位置信号の送信を禁止する。すなわち、送信制御部６７は、携帯端末装置１３の操作部５０において外部点検の点検結果の入力が完了するまで、携帯端末装置１３への検知位置信号の送信を禁止する。つまり、送信制御部６７は、外部点検が完了するまで、携帯端末装置１３への検知位置信号の送信を禁止する。
【００３５】
例えば、送信制御部６７は、通信処理部６５により既に外部点検完了信号が受信されたか否かを判断する。外部点検完了信号が受信されていない場合には、送信制御部６７は、検知位置信号の送信を禁止する。外部点検完了信号が受信された場合には、検知位置信号の送信禁止を解除する。例えば、送信制御部６７は、通信処理部６５が携帯端末装置１３から要求信号を受信した場合に、通信処理部６５により既に外部点検完了信号が受信されたか否かを判断してもよい。
表示制御部６８は、監視対象施設３の図面上に、異常検知位置として位置特定部６６により特定されたセンサ４ａの設置位置を示す画面を表示部６１に表示する。例えば、表示制御部６８は、図２に示す監視施設表示画面２０と同様の画面を表示してもよい。
表示制御部６８は、例えば、通信処理部６５が警備装置７から異常信号を受信すると、通信処理部６５が外部点検完了信号を受信したか否かに関わらず、異常検知位置を示す画面を表示部６１に表示してよい。すなわち、表示制御部６８は、携帯端末装置１３の操作部５０において外部点検の点検結果の入力が完了したか否かに関わらず、異常検知位置を示す画面を表示部６１に表示してよい。つまり、表示制御部６８は、外部点検が完了したか否かに関わらず、異常検知位置を示す画面を表示部６１に表示してよい。
【００３６】
なお、センタ装置１０は特許請求の範囲に記載の遠隔装置の一例である。監視区域２は監視対象領域の一例である。監視対象施設３の内部は第１範囲の一例である。監視対象施設３の外周は第２範囲の一例である。センサ４は検知器の一例である。警備装置７の入出力インタフェース４０は受信部の一例である。通信回路４３は送信部の一例である。携帯端末装置１３の操作部５０及び処理実行部５５は入力受付部の一例である。通信処理部５６は、通信部の一例である。外部点検の点検結果は、第２範囲の点検情報の一例である。
【００３７】
（警備業務支援システム１の動作）
次に、図７を参照して警備業務支援システムの動作の全体を説明する。
監視対象施設３の内部に設置されたセンサ４ａは、異常を検知すると、ステップＳ１０において検知信号を警備装置７へ送信する。警備装置７の動作モードが警備セットモードである場合、警備装置７はステップＳ１１においてセンサ４ａの識別情報を含んだ異常信号をセンタ装置１０へ送信する。
ステップＳ１２においてセンタ装置１０は、異常検知位置を示す画面をセンタ装置１０の表示部６１に表示する。異常の発生を確認した監視員１１による対処要請操作を受け付けると、センタ装置１０はステップＳ１３において監視員１１により選定された対処員１２が所持する携帯端末装置１３へ対処要請信号を送信する。
【００３８】
対処要請信号を受信した携帯端末装置１３を所持する対処員１２は、監視区域２に到着すると、まず監視対象施設３の外部点検を行う。外部点検が完了すると、携帯端末装置１３はステップＳ１４において対処員１２による外部点検の点検結果の入力を受け付ける。ステップＳ１５において携帯端末装置１３は、外部点検完了信号をセンタ装置１０へ送信する。外部点検完了信号を受信したセンタ装置１０は、異常検知位置を示す検知位置信号の送信禁止を解除する。
対処員１２が監視対象施設３内部の異常検知位置を知りたい場合には、位置要求操作が対処員１２によって行われる。ステップＳ１６において携帯端末装置１３は、対処員１２による位置要求操作を受け付ける。位置要求操作を受け付けると、携帯端末装置１３はステップＳ１７において要求信号をセンタ装置１０に送信する。
【００３９】
ここで、ステップＳ１５で検知位置信号の送信禁止が解除されているため、要求信号を受信したセンタ装置１０は、ステップＳ１８において携帯端末装置１３へ検知位置信号を送信する。携帯端末装置１３は検知位置信号を受信すると、ステップＳ１９においてセンサ４ａの設置位置、すなわち異常検知位置を示す画面を携帯端末装置１３の表示部５１に表示する。
その後、対処員１２は監視対象施設３の内部点検を行う。ステップＳ２０において携帯端末装置１３は、対処員１２による内部点検の点検結果の入力を受け付ける。内部点検が完了し、ステップＳ２１において対処員１２による点検終了ボタン３４の押下を受け付けると、携帯端末装置１３は、内部点検完了信号を送信する。
【００４０】
なお、ステップＳ１１の動作は、図４に示す警備装置７の制御部４１の動作に相当する。ステップＳ１２の動作は、図６に示すセンタ装置１０の位置特定部６６及び表示制御部６８の動作に相当する。ステップＳ１３の動作は通信処理部６５の動作に相当する。ステップＳ１８の動作は、通信処理部６５及び送信制御部６７の動作に相当する。
ステップＳ１４、Ｓ１６、Ｓ２０及びＳ２１の動作は、図５に示す携帯端末装置１３の操作部５０及び処理実行部５５の動作に相当する。ステップＳ１５及びＳ１７の動作は、通信処理部５６の動作に相当する。ステップＳ１９の動作は表示制御部５７の動作に相当する。
【００４１】
（センタ装置１０による処理）
次に、図８を参照して警備装置７から異常信号を受信した場合のセンタ装置１０の処理を説明する。
ステップＳ３０において位置特定部６６は、異常信号に含まれるセンサ４ａの識別情報と記憶部６２に記憶されたセンサ登録情報に基づいて、センサ４ａを特定する。また位置特定部６６は、センサ４ａが設置された監視区域２の識別情報を特定する。
ステップＳ３１において位置特定部６６は、監視区域２の識別情報に基づいて、監視対象施設３の図面の画像データを記憶部６２から読み出す。位置特定部６６は、センサ４ａの識別情報と記憶部６２に記憶された設置位置情報に基づいてセンサ４ａの設置位置、すなわち異常検知位置を特定する。
【００４２】
ステップＳ３２において表示制御部６８は、ステップＳ３１で得た画像データ及びセンサ４ａの設置位置に基づいて、異常検知位置を示す画面を表示部６１に表示する。
ステップＳ３３において送信制御部６７は、既に外部点検完了信号が受信済みであるか否かを判断する。外部点検完了信号が受信済みである場合（ステップＳ３３：Ｙｅｓ）に処理はステップＳ３４に進む。ステップＳ３４において送信制御部６７は、検知位置信号の送信禁止を解除する。その後に処理はステップＳ３５へ進む。
一方で、外部点検完了信号が受信済みでない場合（ステップＳ３３：Ｎｏ）には、処理がステップＳ３４に進まずにステップＳ３３に戻る。このため、検知位置信号の送信が禁止される。
【００４３】
ステップＳ３５において通信処理部６５は、携帯端末装置１３から要求信号を受信したか否かを判断する。要求信号が受信された場合（ステップＳ３５：Ｙｅｓ）に処理はステップＳ３６へ進む。要求信号が受信されていない場合（ステップＳ３５：Ｎｏ）に処理はステップＳ３８へ進む。
ステップＳ３６において通信処理部６５は、検知位置信号を携帯端末装置１３へ送信する。ステップＳ３７において通信処理部６５は、内部点検完了信号が受信済みか否かを判断する。
【００４４】
内部点検完了信号が受信済みでない場合（ステップＳ３７：Ｎｏ）に処理はステップＳ３７に戻る。内部点検完了信号が受信済みの場合（ステップＳ３７：Ｙｅｓ）に処理は終了する。ステップＳ３８において通信処理部６５は、内部点検完了信号が受信済みか否かを判断する。内部点検完了信号が受信済みでない場合（ステップＳ３８：Ｎｏ）に処理はステップＳ３５に戻る。内部点検完了信号が受信済みの場合（ステップＳ３８：Ｙｅｓ）に処理は終了する。
【００４５】
（携帯端末装置１３による処理）
次に、図９を参照して対処要請を受けた場合の携帯端末装置１３の処理を説明する。
ステップＳ４０において通信処理部５６は、外部点検の点検結果の入力が処理実行部５５により受け付けられたか否かを判断する。入力が受け付けられていない場合（ステップＳ４０：Ｎｏ）に処理はステップＳ４０に戻る。入力が受け付けられている場合（ステップＳ４０：Ｙｅｓ）に処理はステップＳ４１へ進む。
ステップＳ４１において通信処理部５６は、外部点検完了信号をセンタ装置１０へ送信する。
【００４６】
ステップＳ４２において通信処理部５６は、位置要求操作が操作部５０に受け付けられたか否かを判断する。位置要求操作が受け付けられた場合（ステップＳ４２：Ｙｅｓ）に処理はステップＳ４３へ進む。位置要求操作が受け付けられない場合（ステップＳ４２：Ｎｏ）に処理はステップＳ４７へ進む。
ステップＳ４３において通信処理部５６は、要求信号をセンタ装置１０へ送信する。ステップＳ４４において通信処理部５６は、検知位置信号をセンタ装置１０から受信する。ステップＳ４５において表示制御部５７は、異常検知位置を示す図２の監視施設表示画面２０を表示部５１に表示する。
【００４７】
ステップＳ４６において処理実行部５５は、内部点検の完了の入力操作を操作部５０が受け付けたか否かを判断する。入力操作が受け付けられない場合（ステップＳ４６：Ｎｏ）に処理はステップＳ４６に戻る。入力操作が受け付けられた場合（ステップＳ４６：Ｙｅｎ）に、処理実行部５５は内部点検完了信号をセンタ装置１０へ送信し、処理は終了する。
ステップＳ４７において処理実行部５５は、内部点検の完了の入力操作を操作部５０が受け付けたか否かを判断する。入力操作が受け付けられない場合（ステップＳ４７：Ｎｏ）に処理はステップＳ４２に戻る。入力操作が受け付けられた場合（ステップＳ４７：Ｙｅｎ）に、処理実行部５５は内部点検完了信号をセンタ装置１０へ送信し、処理は終了する。
【００４８】
（第１実施形態の効果）
第１実施形態によれば、異常が検知された監視区域２において、対処員１２が監視対象施設３に内部に入る前に外部点検を完了するまで、異常を検知したセンサ４ａの検知位置信号をセンタ装置１０から携帯端末装置１３へ送信することが禁止される。すなわち、外部点検を完了するまで、センサ４ａの設置位置、すなわち異常検知位置を対処員１２へ開示することが禁止される。
これにより、外部点検を行う際に、監視対象施設３内の異常検知位置を知ることで検知した異常について対処員１２が予断を抱くことが防止される。このようにして、異常検知位置の開示により監視対象施設３の内部点検を容易にする一方で、異常検知位置の開示を外部点検完了まで禁止することで、監視対象施設３への侵入の形跡の有無を確認する外部点検における油断や緊張感の低下を防止できる。この結果、対処員１２による外部点検の品質を高く維持することができ、例えば、侵入者等の脅威があり得る状況で対処員１２が不用意に監視対象施設３内へ立ち入ることを防ぐことができる。すなわち第１実施形態によれば、対処員１２に異常検知位置を開示するタイミングが改善される。
【００４９】
第１実施形態によれば、携帯端末装置１３は、監視対象施設３を示す図面上に異常検知位置を識別可能に表示する。このため、監視対象施設３の内部点検を行う際に、異常検知位置を容易に識別できるため内部点検が容易になる。また、警備装置７や他のセンサの設置位置へ行かなくても異常検知位置が分かるので内部点検を効率化できる。さらに対処員１２は、表示された異常検知位置の情報を危険箇所の予想に用いることもできる。例えば、対処員１２は、異常検知位置に基づいて侵入者等が潜伏場所の候補を予想することができる。監視対象施設３内に立ち入って警備装置７やセンサ４等の設置位置へ行く前に危険箇所が予想できることによって、内部点検の安全性が向上する。
第１実施形態によれば、センタ装置１０では、外部点検の点検結果の入力が完了したか否かに関わらず異常検知位置を表示する。このため、状況判断や対処員１２への指示を行う監視員１１に対して、できるだけ早い段階で異常検知位置を開示することができる。
【００５０】
（変形例）
（１）以上、監視対象施設３の外周の点検の完了まで携帯端末装置１３への検知位置信号の送信を禁止する例を示したが、外周以外の範囲の点検が完了するまで検知位置信号の送信を禁止してもよい。検知位置信号の送信禁止を解除するために点検を完了すべき範囲は、監視対象施設３内部の範囲以外の範囲であって監視対象施設３への侵入経路となりうる範囲であってもよい。例えば、監視区域２内に監視対象施設３以外の第２の施設があり、監視対象施設３と第２の施設とが連絡通路を経由して連絡している場合に、第２の施設の外周や第２の施設から連絡通路に入る入口の点検が完了するまで、検知位置信号の送信を禁止してもよい。後述する第２実施形態でも同様である。
【００５１】
（２）第１実施形態では、対処員１２による外部点検の点検結果の入力に応じて外部点検の完了を判断したが、他の点検情報の入力に応じて外部点検の完了を判断してもよい。例えば、点検情報は、監視対象施設３の外周に設置された無線送信機から送信される識別信号であってよい。例えば、無線送信機は、近距離通信により識別信号を送信するＲＦＩＤ（Radio Frequency IDentification）タグであってよい。監視対象施設３の外周の全ての無線送信機の識別信号を受信したとき、外部点検が完了したと判断してもよい。
また、対処員１２による点検結果の入力があり、且つ全ての無線送信機の識別信号を受信したときに外部点検が完了したと判断してもよい。後述する第２実施形態でも同様である。
【００５２】
（３）通信処理部６５は、監視対象施設３の図面の画像データとセンサ４ａの設置位置とを別々に携帯端末装置１３に送信してもよい。例えば、通信処理部６５は、センサ４ａの設置位置を検知位置信号として送信し、検知位置信号の送信前に画像データを送信してもよい。例えば、通信処理部６５は、対処要請信号の送信と同時に画像データを送信してもよく、画像データを含んだ対処要請信号を送信してもよい。センサ４ａの設置位置を示すデータは画像データよりも小さいため、検知位置信号よりも先に画像データを送信することにより検知位置信号の送受信時間を低減することができる。これにより、対処員１２が位置要求操作を行ってから表示部５１にセンサ４ａの設置位置が表示されるまでの時間を短縮することができる。
【００５３】
（４）検知位置信号の送信を要求する要求信号を、外部点検完了信号として兼用してもよい。例えば、対処員１２が位置要求操作を行った場合に、通信処理部５６は、外部点検の点検結果が入力済みか否かを判断する。外部点検の点検結果が入力済みである場合に、通信処理部５６は要求信号をセンタ装置１０へ送信する。外部点検の点検結果が入力済みでない場合に、通信処理部５６は要求信号をセンタ装置１０へ送信しない。
【００５４】
（第２実施形態）
次に、第２実施形態を説明する。第２実施形態では、携帯端末装置１３の処理によって、外部点検が完了するまで、異常を検知したセンサ４ａの設置位置すなわち異常検知位置の表示を禁止する。
図６を参照する。第２実施形態のセンタ装置１０の通信処理部６５は、外部点検が完了したか否かに関わらず携帯端末装置１３へ検知位置信号を送信する。例えば、通信処理部６５は、対処要請信号の送信と同時に検知位置信号を送信してよく、対処要請信号を含んだ検知位置信号を送信してもよい。なお、第２実施形態では送信制御部６７を省略してもよい。
【００５５】
図５を参照する。第２実施形態の携帯端末装置１３の表示制御部５７は、外部点検が完了するまで、表示部５１に異常検知位置を表示することを禁止する。例えば表示制御部５７は、外部点検の点検結果の入力が処理実行部５５により受け付けられたか否かを判断する。入力が受け付けられていない場合に、表示制御部５７は異常検知位置の表示を禁止する。入力が受け付けられている場合に、表示制御部５７は異常検知位置の表示の禁止を解除する。
異常検知位置の表示の禁止が解除されると、表示制御部５７は、対処員１２による位置要求操作に応えて異常検知位置を表示部５１に表示する。なお、この時点で検知位置信号が受信済みでない場合には、表示制御部５７は、検知位置信号が未受信であることを表示部５１に表示してもよい。異常検知位置の表示が禁止されている間は、対処員１２が位置要求操作を行っても表示制御部５７は異常検知位置を表示しない。
【００５６】
（警備業務支援システム１の動作）
次に、図１０を参照して第２実施形態の警備業務支援システムの動作の全体を説明する。ステップＳ５０〜Ｓ５３の動作は、図７に示すステップＳ１０〜Ｓ１３の動作と同様である。
ステップＳ５４において、センタ装置１０は、対処要請信号に続けて携帯端末装置１３へ検知位置信号を送信する。
対処要請信号を受信した携帯端末装置１３を所持する対処員１２は、監視対象施設３の外部点検を行う。外部点検が完了すると、ステップＳ５５において携帯端末装置１３は、対処員１２による外部点検の点検結果の入力を受け付ける。外部点検の点検結果の入力を受け付けると、携帯端末装置１３は、異常検知位置の表示の禁止を解除する。
ステップＳ５６の動作は、図７に示すステップＳ１６の動作と同様である。
【００５７】
位置要求操作をステップＳ１６で受け付けた時点では、既に異常検知位置の表示の禁止が解除されているので、携帯端末装置１３はステップＳ５７において異常検知位置を表示する。ステップＳ５８の動作は、図７に示すステップＳ２０の動作と同様である。
なお、ステップＳ５４の動作は、図６に示すセンタ装置１０の通信処理部６５の動作に相当する。ステップＳ５５の動作は、図５に示す携帯端末装置１３の操作部５０、処理実行部５５及び表示制御部５７の動作に相当する。ステップＳ５７の動作は、表示制御部５７の動作に相当する。
【００５８】
（センタ装置１０による処理）
次に、図１１を参照して警備装置７から異常信号を受信した場合の第２実施形態のセンタ装置１０の処理を説明する。ステップＳ６０〜Ｓ６２の処理は、図８に示すステップＳ３０〜Ｓ３２の動作と同様である。ステップＳ６３において通信処理部６５は、外部点検が完了したか否かに関わらず携帯端末装置１３へ検知位置信号を送信する。
【００５９】
（携帯端末装置１３による処理）
次に、図１２を参照して対処要請を受けた場合の第２実施形態の携帯端末装置１３の処理を説明する。
ステップＳ７０において表示制御部５７は、外部点検の点検結果の入力が処理実行部５５により受け付けられたか否かを判断する。入力が受け付けられている場合（ステップＳ７０：Ｙｅｓ）に処理はステップＳ７１へ進む。ステップＳ７１において表示制御部５７は、異常検知位置の表示の禁止を解除する。その後に処理はステップＳ７２へ進む。
入力が受け付けられていない場合（ステップＳ７０：Ｎｏ）には処理はステップＳ７１に進まずにステップＳ７０に戻る。このため、異常検知位置の表示が禁止される。
【００６０】
ステップＳ７２において表示制御部５７は、位置要求操作が操作部５０に受け付けられたか否かを判断する。位置要求操作が受け付けられた場合（ステップＳ７２：Ｙｅｓ）に処理はステップＳ７３へ進む。位置要求操作が受け付けられない場合（ステップＳ７２：Ｎｏ）に処理はステップＳ７７へ進む。
ステップＳ７３において表示制御部５７は、検知位置信号が既にセンタ装置１０から受信されているか否かを判断する。検知位置信号が受信されていない場合（ステップＳ７３：Ｎｏ）に処理はステップＳ７４に進む。検知位置信号が受信済みの場合（ステップＳ７３：Ｙｅｓ）に処理はステップＳ７５に進む。
【００６１】
ステップＳ７４において表示制御部５７は、検知位置信号が未受信であることを表示部５１に表示する。その後に処理はステップＳ７２に戻る。
ステップＳ７５において表示制御部５７は、異常検知位置を表示部５１に表示する。ステップＳ７６及びＳ７７の動作は、図９に示すステップＳ４６及びＳ４７の動作と同様である。
【００６２】
（第２実施形態の効果）
第２実施形態によれば、異常が検知された監視区域２において、対処員１２が監視対象施設３に内部に入る前に外部点検を完了するまで、携帯端末装置１３における異常検知位置の表示が禁止される。これにより、異常検知位置の開示により監視対象施設３の内部点検を容易にする一方で、異常検知位置の表示を外部点検完了まで禁止することで、監視対象施設３への侵入の形跡の有無を確認する外部点検時における油断や緊張感の低下を防止できる。すなわち第２実施形態によれば、対処員１２に異常検知位置を開示するタイミングが改善される。
【００６３】
（変形例）
警備装置７は、異常を検知したセンサ４ａの識別情報を、通信回線８を経由して携帯端末装置１３に送信してもよい。携帯端末装置１３の通信処理部５６は、センサ４ａの識別情報を警備装置７から受信してもよい。また、携帯端末装置１３の記憶部５２に、センタ装置１０の記憶部６２に記憶されているセンサ登録情報、図面画像情報及び設置位置情報と同様の情報を記憶してもよい。表示制御部５７は、警備装置７から受信したセンサ４ａの識別情報と、記憶部５２に記憶されるセンサ登録情報、図面画像情報及び設置位置情報に基づいて、異常検知位置を表示部５１に表示してもよい。
【符号の説明】
【００６４】
１  警備業務支援システム、２  監視区域、３  監視対象施設、４  センサ、５  外側領域、６  センサ、７  警備装置、８  通信回線、９  監視センタ、１０  センタ装置、１１  監視員、１２  対処員、１３  携帯端末装置、２０  監視施設表示画面、３０  点検結果入力画面、３１  外部点検結果入力欄、３２  図面参照ボタン、３３  内部点検結果入力欄、３４  点検終了ボタン、４０  入出力インタフェース、４１  制御部、４２  記憶部、４３  通信回路、５０  操作部、５１  表示部、５２  記憶部、５３  通信回路、５４  制御部、５５  処理実行部、５６  通信処理部、５７  表示制御部、６０  操作部、６１  表示部、６２  記憶部、６３  通信回路、６４  制御部、６５  通信処理部、６６  位置特定部、６７  送信制御部、６８  表示制御部
【図１】
0006490996.tif 000002
【図２】
0006490996.tif 000003
【図３】
0006490996.tif 000004
【図４】
0006490996.tif 000005
【図５】
0006490996.tif 000006
【図６】
0006490996.tif 000007
【図７】
0006490996.tif 000008
【図８】
0006490996.tif 000009
【図９】
0006490996.tif 000010
【図１０】
0006490996.tif 000011
【図１１】
0006490996.tif 000012
【図１２】
0006490996.tif 000013